(57)【特許請求の範囲】
【請求項１】
管状楔形ワイヤスクリーン要素（８、４２）を使用する逆洗フィルタ装置であって、前記管状楔形ワイヤスクリーン要素（８、４２）が、濾過すべき液体のためのフィルタ入口（３８）及びフィルタ出口（４０）を備えたハウジング（３０）内に収容可能であり、フィルタ要素（８、４２）は濾過（２４）のため、あるいは逆洗（２６）のために両方向の流れに適応可能であり、逆洗（２６）のために動力駆動可能なワッシングアーム（５０）が設けられ、前記ワッシングアーム（５０）は、汚れた液体のための液体出口（５２）を組み込んでいると共に、入口断面（Ｄ）において係合する前記フィルタ要素（８、４２）を順次移し変えることが可能である逆洗フィルタ装置において、前記管状楔形ワイヤスクリーン要素（８）の少なくとも一つが円錐形に構成されており、円錐形フィルタ要素（８）の構造長さ（Ｌ）が、液体のために使用可能な最大の流れの横断面（Ｄ）の大きさの少なくとも１０倍であることを特徴とする逆洗フィルタ装置。
【請求項２】
使用されるすべての前記管状楔形ワイヤスクリーン要素（８）が円錐形に構成されていることを特徴とする請求項１に記載の逆洗フィルタ装置。
【請求項３】
前記管状楔形ワイヤスクリーン要素（８）が支持ロッド（１２）を有し、その支持ロッド（１２）のまわりには、開口クリアランス（１４）を残すように個々の巻線（１８）からなる少なくとも一つのワイヤプロファイル（１６）が巻き付けられ、前記開口クリアランス（１４）を通って液体は流れることができ、前記プロファイル（１６）は少なくとも一部分において前記支持ロッド（１２）に溶接されていることを特徴とする請求項１又は２に記載の逆洗フィルタ装置。
【請求項４】
前記フィルタ要素（８）が円錐形に構成されるように、前記支持ロッド（１２）が傾けられ、前記支持ロッド（１２）の一端（２２）が管状楔形ワイヤスクリーンフィルタ要素（８）の長手軸（１０）上に配置され、更に、前記ワイヤプロファイル（１６）の巻線（１２）の直径が、前記支持ロッド（１２）の傾けられた前記一端（２２）の方向に小さくなっていることを特徴とする請求項３に記載の逆洗フィルタ装置。
【請求項５】
前記支持ロッド（１２）及び前記ワイヤプロファイル（１６）が高品質鋼又はプラスチック材料により形成されていることを特徴とする請求項３又は４に記載の逆洗フィルタ装置。
【請求項６】
前記支持ロッド（１２）の断面が方形であって、前記ワイヤプロファイル（１６）の断面が三角形であることを特徴とする請求項３〜５のいずれか一項に記載の逆洗フィルタ装置。
【請求項７】
前記開口クリアランスの幅（２０）が液体中の固体粒子の寸法に適合されていることを特徴とする請求項３〜６のいずれか一項に記載の逆洗フィルタ装置。
【請求項８】
溶接位置が、前記ワイヤプロファイル（１６）と前記支持ロッド（１２）との各接触位置の領域に設けられていることを特徴とする請求項７に記載の逆洗フィルタ装置。
【請求項９】
前記管状楔形ワイヤスクリーンフィルタ要素（８）の円錐形先端部がフィルタハウジング出口（４０）の方向を向くように、前記管状楔形ワイヤスクリーンフィルタ要素（８）がハウジング（３０）内に配置されていることを特徴とする請求項１〜８のいずれか一項に記載の逆洗フィルタ装置。
【発明の詳細な説明】
本発明は、フィルタへの液体入口及び濾過済液体出口を有するハウジングに収容可能な管状楔形ワイヤスクリーンフィルタ要素を使用する逆洗フィルタ装置に関し、この濾過用又は逆洗用フィルタ要素は、液体を双方向に流すことができ、逆洗装置には作動可能な洗浄アームが逆洗用に設けられている。このアームは汚染液体出口を有すると共に、フィルタ要素への流れの断面の下側で交互に順次変位できるように構成されている。
斯うした逆洗フィルタ装置は独国特許出願DE 40 30 084 A1によって既に知られている。この公知の逆洗装置、即ち濾過すべき汚染液体を用いて、好ましくは濾過方向とは逆方向に逆洗させることができる逆洗装置に於いて、フィルタ装置はフィルタハウジング内に円形に配置した複数のフィルタセルを有し、これらのフィルタセルは、回転駆動装置によって作動する洗浄アームを用いて沈殿物排出装置に接続することができる。この洗浄アームは逆洗に当たって、個々のフィルタセルに、又はそれらの小グループ毎に作用する。しかし、この公知の洗浄装置を用いて逆洗処理を行う場合、汚染液体はフィルタセルを通してその長手方向に乱流状態で高速に流れ、堆積した汚染物を分解し、運び去るが、これらの濾過及び逆洗結果は改善の余地があることを示している。
この公知の機構では、円筒形フィルタ要素をフィルタハウジング内に詰めた状態で隣接配置するため、これに対応してフィルタハウジング内の液体排出用チャンバの空きは小さくなり、通常の濾過動作に於ける濾過済液体の流出抵抗は、互いに向かい合う円筒形フィルタ要素の影響によって増加する。その結果、フィルタ入口と出口の圧力差もまた増加する。しかし、このことは上記公知の逆洗装置に関する全体的なエネルギーバランスを不適当なものとする。また、独国特許出願DE 83 06 970 Uに述べられているように、円筒形フィルタ要素をフィルタハウジング内に特定の間隔を置いて配置した場合でさえ、この円筒形フィルタ要素の逆洗時には不均一な液体の流れが起こり、その結果、円筒形フィルタ内の液体流速は漸増し、同様に逆洗装置のエネルギーバランスも好ましくない状態となる。
種々の物質及び粒子の濾過及び分離を行う円錐形フィルタ要素は独国特許出願DE 38 12 872 A1から公知である。このフィルタ要素は、螺旋又は螺旋形の円錐を形成する円錐状に巻いたワイヤを、互いに隣接配置した複数の支持ピンの中に案内して形成されている。長さ対幅の比が１の領域内にある明確な円錐構造を取っているため、分離性能の向上を意図した一種のファンネル（漏斗）効果が生まれる。しかし、こうした円錐形の濾過及び分離要素を逆洗装置に使用したとしても、如何なる場合も濾過表面によって形成される液体の流入断面より大きい液体の流出断面は得られず、流れに対する抵抗の増加が起こる。このことは、逆洗によって得られる有効度に特に負の影響を与える。この目的に対して同等な装置は、米国特許第2,237,964号から公知である。
上記のような技術水準に考慮して始めた本発明の目的は、改良された濾過及び逆洗性能を有すると共に、関連フィルタ要素を通る液体の流れに関して改良されたエネルギーバランスを示す逆洗装置を開示することにある。こうした目的は、請求の範囲の請求項１に記載の特徴を有する逆洗フィルタ装置によって達成される。
請求項１の特徴部分によれば、管状楔形ワイヤスクリーンフィルタ要素の少なくとも一部が円錐構造を有しており、この円錐形フィルタ要素の構造長さが、液体が使用可能な最大の流れの横断面の大きさの少なくとも１０倍であり、円錐形の管状楔形ワイヤスクリーンフィルタ要素それぞれの間の距離、又はこれら円錐形フィルタ要素と円筒形フィルタ要素フィルタ要素の間の距離は広げられ、その結果、フィルタハウジング内の出口チャンバが拡大され、それゆえ、濾過動作時に於ける排出流れ抵抗は減少する。逆洗に関し、円錐形管状楔形ワイヤスクリーンフィルタ要素は円筒形フィルタ要素に比べて明らかに好適である。その理由は第１に、同じ濾過表面を有する円筒形フィルタ要素に比べ、円錐形フィルタ要素の出口断面は、比較的大きいからである。しかし濾過表面、つまり開口要素表面によって形成される入口断面に比べて円錐形フィルタ要素の出口断面は比較的小さいため、管状通路クリアランスの流れ抵抗パラメータに依存して狭いパスが形成され、あるいは、絞り効果が奏される。そのためシステム圧力はかなり低下する。従って、僅かな圧力損失だけで済むため、エネルギーバランスの点から見て、逆洗には好適である。
円錐形及び円筒形フィルタ要素を使用して逆洗を実施する場合、体積流れの大部分は本質的に底部フィルタ端部に形成される。体積流は急速に増加する。円錐形フィルタ要素がかなり大きな距離にわたって逆洗されるため、更に速度勾配は低下する。そのため、要素の円錐形状に起因するフィルタ表面に関する速度プロファイルのため、円筒形フィルタ要素よりも良好な浄化効果が得られる。円錐形フィルタ要素による浄化によって達成される本質的に一様な速度のため、円錐形フィルタ要素の使用寿命が長くなり好適である。
逆洗に関し、全てのフィルタ要素が順次配列されるのが好適である。個々のフィルタ要素を逆洗している間、残りの管状通路スクリーンによる濾過が継続されるため、どの様な時にも濾過動作が中断されることはない。逆洗段階に於ける逆洗フィルタ装置内の圧力により、フィルタの僅かな部分の流れが浄化すべきフィルタ要素に関して反対方向に流される。そのため、フィルタ要素の汚染物質は分解され、除去される。
こうした逆洗の効果を更に強調するため、逆洗を脈動的に実行することができる。即ち、洗浄アームをフィルタ要素の流れの断面の下側で数秒間停止させ、次いで管状通路を急激に開けることにより、しつこい汚染物質が除去される。
本発明のその他の好適な形態は、請求の範囲の従属項に記載されている。
図１ａは楔形ワイヤスクリーン管状フィルタ要素の部分断面側面図である。
図１ｂは図１ａの１−１線に沿った断面図である。
図１ｃは図１ａの“Ｘ”で示す部分の拡大図である。
図２は円筒形及び円錐形管状フィルタ要素の双方を具備した逆洗フィルタ装置の縦断面図である。
図１ａの側面図に図示の楔形ワイヤスクリーン管状フィルタ要素８は、その長手軸１０の方向に傾斜するように設けた複数の支持ロッド１２を有している。これら複数の支持ロッドの周囲には、個々の巻線１８からなるワイヤプロファイル１６が、各巻線間を液体が流れられるクリアランス１４を残すようにして巻回形成される。ワイヤプロファイル１６と支持ロッド１２は、それらの各接点領域に於いて溶接される。自由な液体流路として設けたクリアランスのパラメータ、即ちクリアランス１４の２側面間の距離は、図１ｃの双方向矢印２０によって示されている。
図１ａに詳しく示すように、支持ロッド１２は全体として円錐形のフィルタ要素８が形成されるように、その１つの端部２２を基点として長手軸１０に対し傾斜して配置される。これによって、ワイヤプロファイル１６を構成する巻線１８は、支持ロッド１２の傾斜端部２２に向かう方向にその直径を連続的に減少させている。このことは図１ｂからも明らかである。また、図示のように１つのワイヤプロファイル１６を使用する代わりに、与えられた濾過目的にとって必要で有り、そしてもし望ましければ、複数のワイヤプロファイルを順次直線状に連続接続して構成することもでき、又は１つワイヤプロファイルが他の上に乗るように螺旋状に接続して構成することもできる（これらについては図示せず）。長手軸１０に沿って計った楔形ワイヤスクリーン管状フィルタ要素８の長さＬは、図１ａに図示の管状フィルタ要素８の右端に於ける流体経路として利用可能な最も大きい流れの断面Ｄの直径の約１１倍である。
支持ロッド１２及びワイヤプロファイル１６は高品質のスチール製であって、支持ロッド１２は方形の断面を有し、ワイヤプロファイル１６は三角形であり、それらにより楔形が形成される。図１ｃの双方向矢印２０によって示される選択すべきクリアランスの幅は、一般に水圧液体のタイプの液体から濾過される固体粒子の寸法に適している。従って、濾過液は自由にクリアランス１４を通過し、ワイヤプロファイル１６の巻線１８によって濾過された固体粒子、即ち汚染粒子は楔形ワイヤスクリーン管状フィルタ要素８内に把持されて残るか、又はそれらの或るものは、この管状フィルタ要素８の使用時間の増加と共にクリアランスに固定され、やがてこの管状フィルタ要素は次第に詰まってしまい、迅速な濾過を実行するために使用することができなくなる。この様な場合、この管状フィルタ要素８は、逆方向に流れる液体の逆洗によって汚染粒子の除去を行うことができる。図１ａには、管状フィルタ要素の内側から外側に向かう濾過方向を矢印２４で、それに対向する逆洗方向を矢印２６で示している。
次に図２を参照して、逆洗フィルタ装置に関する上記楔形ワイヤスクリーン管状フィルタ要素の機能及び使用法について説明する。
図２に図示の逆洗フィルタ装置は、カバープレート３２、３４を備えた円筒形のハウジング３０を有している。これらカバープレートはフランジ接続部３６を用いてフィルタハウジング３０に取り付けることができる。逆洗フィルタ装置のハウジング３０は濾過すべき液体のためのフィルタ入口３８を有すると共に、濾過した液体のためのフィルタ出口４０を有している。ハウジング３０を介した濾過動作に於ける液体の移動方向は、図２のフィルタ入口３８及びフィルタ出口４０の近くに記した対応するそれぞれの矢印によって示されている。図２の左側に示す円錐形管状フィルタ要素８に加えて、図の右側に示す円筒形管状フィルタ要素４２も併せて使用される。円錐形管状フィルタ要素８及び円筒形管状フィルタ４２は、円筒形の円の曲線の数個分だけ間隔を隔てて組をなしてフィルタハウジング３０内に分配して配置される。図２に示す全ての管状フィルタ要素では、それらの入口断面Ｄ、即ちそれらの自由開口が、底部カバープレート３４の円筒形切り欠き４４部において開口している。それらの他端において、円錐形フィルタ要素８及び円筒形フィルタ要素はカバーキャップ４６を具備している。このカバーキャップ４６はワイヤプロファイル１６の端部に溶接されており、カバーキャップ４６により、フィルタ要素は板状の中間部材４８に拘束され、中間部材４８は上に位置する上部カバープレート３２と係合する。
逆洗フィルタ装置によって実施される一般的な逆洗のために、作動可能な洗浄アーム５０が設けられる。この洗浄アームは、その底部に、汚染液体出口５２の形をした付属装置を有する。長さの異なる２つのアームセグメント５４を有する洗浄アーム５０は、駆動ロッド５６を用いて流れの断面Ｄの下側で円錐形フィルタ要素８及び円筒形フィルタ要素４２を順次変位させることができる。逆洗は一般的な濾過処理の間に連続的に実施される。この場合、フィルタ要素８、４２のみが逆洗される。逆洗は外側から内側に向かって実施され、浄化され濾過された液体が特別なフィルタ要素を用いた濾過により生成される。開口している流れの断面Ｄは、洗浄アーム５０のアームセグメント５４によって下側から係合され、支持されている。
逆洗によって発生した汚染液の流出方向は、図２の液体出口５２の矢印によって示されている。逆洗フィルタ装置の長手軸５８に沿ってそれを貫通する駆動ロッド５６は、フィルタハウジング３０と係合すると共に、上部カバープレート３２及び底部カバープレート３４の両者を貫通して係合する。一般に中空軸の形をした駆動ロッド５６を駆動するため、スプラインシャフト連結部６０が上部カバープレート３２に設けられる。駆動ロッドはこのスプラインシャフト連結部を介してモータ等によって動力を与えられ、長手軸５８を中心に回転可能である。
また図２に示すように、その壁から外に向かうフィルタ入口３８は、一種のディフューザとして形成される。このディフューザは、濾過すべき汚染液体の流入速度を低減すると同時に、円錐形フィルタ要素８又は円筒形フィルタ要素４２の何れかの洗浄アーム５０によって塞がれていない流れの断面Ｄに於ける圧力を上昇させる。ディフューザによる拡散効果は、フィルタ入口３８の入口断面と、フィルタ要素８、４２のための収容チャンバの断面とが本質的に同一に形成される点、及びフィルタ入口３８と収容チャンバとの間において断面が減少することなく本質的に均一な通路が形成される点で特に好適である。
管状楔形ワイヤスクリーンフィルタ要素８を円錐状に構成した結果、関連するフィルタ要素の流れの断面Ｄはかなりの寸法となり、円錐形フィルタ要素８同士間の距離及びこれらの要素８と円筒形要素４２との間の距離は、フィルタ出口４０の方向に増加する。それゆえ、関連するフィルタ要素の内部チャンバから濾過された液体が流出する際の抵抗は、円筒形要素だけを使用する従来の方法に比べて小さくなり、その結果、逆洗フィルタ装置全体の圧力減少率が減少し、エネルギが節約される。更に、管状楔形ワイヤスクリーンフィルタ要素８を円錐状に構成した結果、要素の逆洗を行う間に液体の流れが均一にされる。本実施形態でも使用される円筒形要素４２では、長手方向の逆洗速度がフィルタを通るうちに連続的に増加し、エネルギ消費又はエネルギの節約の観点からは好適ではない。
【図１ａ】
0004065331.tif 000002
【図１ｂ】
0004065331.tif 000003
【図１ｃ】
0004065331.tif 000004
【図２】
0004065331.tif 000005